(57)【要約】  比較的大量の吸収性ゲル材料とカチオン性多糖類とを含む、使い捨て吸収性物品用、特に経血又は血液を吸収するための吸収性コア。
2011520531.tif 000002
【特許請求の範囲】
【請求項１】
経血若しくは血液又は膣排泄物の吸収用である吸収性物品のための吸収性コアであって、該コアが、基材層を備え、
前記基材層が、第１の面と第２の面とを含み、
前記吸収性コアが、吸収性高分子材料の不均一層を更に備え、
前記吸収性高分子材料の不均一層が、第１の面と第２の面とを含み、
前記吸収性コアが、熱可塑性材料の層を更に備え、
前記熱可塑性材料の層が、第１の面と第２の面とを含み、
前記吸収性コアが、第１の面と第２の面とを含むカバー層を更に備え、
前記吸収性高分子材料の不均一層の前記第２の面が、少なくとも部分的に前記基材層の前記第１の面に接触し、
前記熱可塑性材料の層の前記第２の面の部分が、前記基材層の前記第１の面に直接接触し、かつ、前記熱可塑性材料の層の前記第２の面の部分が、前記吸収性高分子材料の不均一層の前記第１の面に直接接触し、前記カバー層の前記第２の面が、前記熱可塑性材料の層の前記第１の面に直接接触し、
前記基材層が、繊維の繊維ウェブを含み、
前記吸収性コアが、カチオン性多糖類を含むことを特徴とする、吸収性コア。
【請求項２】
前記カチオン性多糖類が、前記吸収性高分子材料の不均一層内に含まれる、請求項１に記載の吸収性コア。
【請求項３】
前記カチオン性多糖類が、前記基材層内に含まれる、請求項１に記載の吸収性コア。
【請求項４】
前記コアが、前側及び後側横断方向末端部と２つの長手方向側末端部とを含み、前記カチオン性多糖類材料が、該長手方向側末端部に実質的に沿って含まれる、請求項１〜３のいずれか一項に記載の吸収性コア。
【請求項５】
前記吸収性高分子材料の不均一層が、前記長手方向側末端部まで延在しない、請求項４に記載の吸収性コア。
【請求項６】
前記カチオン性多糖類材料が、粒子形状である、請求項１〜５のいずれか一項に記載の吸収性コア。
【請求項７】
前記カチオン性多糖類材料が、キャリア材料の中に含まれる、請求項１〜６のいずれか一項に記載の吸収性コア。
【請求項８】
前記キャリア材料が、ポリエチレングリコールの混合物を含む、請求項７に記載の吸収性コア。
【請求項９】
前記キャリア材料が、少なくとも１２００の分子量を有するポリエチレングリコールである、請求項７に記載の吸収性コア。
【請求項１０】
前記カチオン性多糖類が、適用領域の平方メートル当たりのカチオン性多糖類の重量で、０．５ｇ／ｍ２〜５００ｇ／ｍ２、好ましくは１〜２００ｇ／ｍ２、より好ましくは３ｇ／ｍ２〜１００ｇ／ｍ２、最も好ましくは４ｇ／ｍ２〜５０ｇ／ｍ２の濃度で含まれる、請求項１〜９のいずれか一項に記載の吸収性コア。
【請求項１１】
液体透過性トップシートと、バックシートと、それらの間に含まれる請求項１〜１０のいずれか一項に記載の吸収性コアとを含む吸収性物品。
【発明の詳細な説明】
【技術分野】
【０００１】
本発明は、吸収性物品、例えば生理用ナプキンなどのための吸収性コアに関する。
【背景技術】
【０００２】
経血又は血液又は膣排泄物などのような体液を吸収するための吸収性物品は、当該技術分野において周知であり、例えば、生理用ナプキン、パンティライナー、タンポン、陰唇間用具などの婦人衛生用品、並びに創傷包帯などを含む。例えば、生理用ナプキンを想定した場合、これらの物品は典型的には、着用者に面する層としての液体透過性トップシート、衣類に面する層としてのバックシート、及びトップシートとバックシートとの間の吸収性コアを含む。体液は、トップシートを通して捕捉され、その後、吸収性コア内に貯蔵される。バックシートは、典型的には、吸収された流体が着用者の衣類を濡らすのを防ぐ。
【０００３】
吸収性コアは、典型的には、１つ以上の繊維性吸収材料を含み、繊維性吸収材料は、例えばセルロース繊維、典型的には木材パルプ繊維、合成繊維、又はこれらの組み合わせのような天然繊維を含むことができる。
【０００４】
吸収性物品は、それらの吸収特性及び保持特性を改善するために、通常は微細分散した形態の、例えば、典型的には粒子形状の、吸収性ゲル材料（ＡＧＭ）などの超吸収材料を、典型的には吸収性コアの中に、更に含むことができる。吸収性物品で用いる超吸収性材料は、典型的には、大量の液体を吸収し、適度の圧力下でこのような吸収された液体を保持することができる、非水溶性、水膨潤性、ヒドロゲル形成架橋吸収性高分子を含む。吸収性ゲル材料は、吸収性物品に、典型的にはコア構造に異なる方法で組み込むことができ、例えば、粒子形状の吸収性ゲル材料が、コアに含まれる繊維層の繊維の中に分散されるか、さもなければ、繊維層の間に、より凝縮して局部的に配置され得るといった方法である。
【０００５】
薄い構造体を有する吸収性物品用の吸収性コアは、特に物品が完全に又は部分的に液体で満たされた場合、吸収性ゲル材料に改良した不動化を提供し、着用感の向上をもたらすことができる。このようなより薄い構造体は、例えば吸収性ゲル材料が配置され、例えば構造体自体の模様付きの領域に何らかの形で保持されているというような、向上した快適さ、目立たなさ、適応性が一体化した吸収性物品を提供する。
【０００６】
Ｔｈｅ  Ｐｒｏｃｔｅｒ  Ｇａｍｂｌｅ  Ｃｏｍｐａｎｙに譲渡された欧州特許第１，４４７，０６７号は、向上した着心地性をその物品に付与し、その物品を薄くて乾燥した状態にする吸収性コアを有した、おむつのような、典型的には使い捨ての吸収性物品を説明する。吸収性コアは、第１の面と第２の面を含む基材層と、吸収性高分子材料を含む吸収性材料の不連続層であって、吸収性材料が全重量の２０重量パーセント以下の吸収高分子材料の吸収繊維状材料を任意的に含む不連続層とを更に含む。吸収性材料の不連続層は、第１の面と第２の面を含み、更に吸収性コアが第１の面と第２の面を含む熱可塑性材料層を備え、吸収性材料の不連続層の第２の面の部分が基材層の第１の面と少なくとも部分的に接触し、熱可塑性材料層の第２の面が基材層の第１の面と直接接触し、熱可塑性材料層の第２の面の部分が吸収性材料の不連続層の第１の面と直接接触する。
【０００７】
欧州特許第１，４４７，０６７号による、比較的豊富な量の吸収性ゲル材料を有する薄い吸収性コア、及び幾分低含有量の繊維性材料を有する吸収性物品は、尿のような体液に対して通常良好な吸収特性及び保持特性を有する一方で、特に他の体液に対する吸収特性と保持特性を改善する余地が依然として残っている。特に、経血、血液、及び膣排泄物は、超吸収性材料を多量に含有する吸収性コア内に効果的に吸収し保持することが殊更に困難であるが、これはこのような材料がこのような体液に対して最適の吸収特性及び保持特性を示さない場合があるためである。特に、超吸収材料は比較的ゆっくりとした捕捉及び吸収速度を示すことができる。
【０００８】
最適でない吸収特性及び保持特性は、主に経血、血液、又は膣排泄物に対する超吸収性材料の低い透過性が原因であり、これは、これら流体の粘性及び／又は複合的な性質に起因するものであると考えられている。例えば、経血及び血液は、水より高い分子量を有する成分と、また赤血球、白血球を包含する血球成分、可溶性たんぱく質、細胞残屑及び粘液を含む水性の流体であり、これらにより、超吸収体によるこれら流体の吸収が遅くなる。経血及び血液は、どちらかと言えば粘度が高く、吸収性ゲル材料を含む従来の吸収性構造体に吸収するのが本質的により困難であり、その上、赤血球のような血球成分は、ある種の超吸収性粒子の吸収能力を低減させることがある。これは、超吸収性材料内、ひいては超吸収性材料を含む吸収性構造体内への流体の初期吸上げ速度の低下につながり、その結果、最終的な吸収及び保持能力の低下を招く可能性がある。
【先行技術文献】
【特許文献】
【０００９】
【特許文献１】欧州特許第１，４４７，０６７号
【発明の概要】
【発明が解決しようとする課題】
【００１０】
本発明は、吸収性物品の吸収性コア構造体にカチオン性多糖類を組み込むことによって、特に経血若しくは血液又は膣排泄物の吸収に関して、繊維基材層上に安定的に供給された不均一層の中に吸収性ゲル材料を含む上記区域に有意な改善を提供する。
【課題を解決するための手段】
【００１１】
本発明は、経血又は血液又は膣排泄物の吸収用である吸収性物品の吸収性コアを提供することによって上記のニーズに答える。この吸収性物品は第１表面及び第２表面を有する基材層を備え、吸収性コアは更に、第１表面及び第２表面を有する吸収性高分子材料の不均一層を備え、吸収性コアはまた、第１表面及び第２表面を有する熱可塑性材料の層、並びに第１表面及び第２表面を有するカバー層を備える。吸収性高分子材料の不均一層の第２表面が、基材層の第１表面と少なくとも部分的に接触し、熱可塑性材料の層の第２表面の部分が、基材層の第１表面と直接接触し、熱可塑性材料の層の第２表面の部分が、吸収性高分子材料の不均一層の第１表面と直接接触し、カバー層の第２表面が、熱可塑性材料の層の第１表面と直接接触する。基材層は繊維の繊維ウェブを含み、吸収性コアはカチオン性多糖類を含む。
【図面の簡単な説明】
【００１２】
【図１】下部要素を示すためにいくつかの構成要素の部分が切り取られた、本発明の実施形態による吸収性コアを示す、生理用ナプキンの平面図。
【図２】横軸Ａ−Ａ’で切断した図１の生理用ナプキンの概略の断面図。
【図３】本発明の一実施形態による吸収性コアの断面図を示す。
【図４】本発明の別の実施形態による吸収性コアの概略の断面図を示す。
【図５】本発明の代表的な吸収性コアの斜視図を示す。
【発明を実施するための形態】
【００１３】
本発明は、経血又は血液又は膣排泄物のような体液の吸収を目的とする吸収性物品、例えば生理用ナプキン、パンティライナー、タンポン、陰唇間用具、創傷包帯などの吸収性コアに関する。本発明に関連する代表的吸収性物品は使い捨て吸収性物品である。本明細書で用いられる用語「使い捨て」は、物品として洗濯ないしは別の方法で元の状態に戻す、又は再利用されることが意図されていない物品を示す（即ち、該物品は１回使用した後に廃棄、好ましくはリサイクル、堆肥化、ないしは別の環境に適合する方法で処理することが意図されている）。本発明の吸収性コアは、例えば図１に図示される生理用ナプキン２０のような、典型的物品を背景においてここに記述される。典型的には、図１に示すような物品は、液体透過性トップシート３０、バックシート４０、及び前記トップシート３０及び前記バックシート４０の中間体である吸収性コア２８の要素を含む。
【００１４】
本発明の次の説明において、使用中に着用者の方向に面する物品の面又はその各要素の面は、着用者に面する表面と呼ばれる。反対に、使用中に衣類の方向を向く面は、衣類に面する表面と呼ばれる。本発明の吸収性物品、並びにそのいずれかの要素、例えば吸収性コアなどはしたがって、着用者に面する表面及び衣類に面する表面を有する。
【００１５】
トップシート
本発明によれば、吸収性物品は、液体透過性トップシートを含み得る。本明細書に用いるのに好適なトップシートは、織布、不織布、及び／又は液体透過性開口を含む液体不透過性高分子フィルムの三次元ウェブを含み得る。図１において、トップシートは、参照番号３０で示されている。本明細書に用いるトップシートは、単一の層であり得、又は多数の層を有してもよい。例えば、着用者に面する表面から吸収性構造体に向かう液体の移送を促進するために提供された開口を有するフィルム材によって、着用者に面し、接触する表面を提供することができる。かかる液体透過性の有孔フィルムは、当該技術分野において周知である。それらは、弾力的な三次元繊維様構造を提供する。このようなフィルムは、例えば、米国特許第３，９２９，１３５号、米国特許第４，１５１，２４０号、米国特許第４，３１９，８６８号、米国特許第４，３２４，４２６号、米国特許第４，３４３，３１４号、米国特許第４，５９１，５２３号、米国特許第４，６０９，５１８号、米国特許第４，６２９，６４３号、米国特許第４，６９５，４２２号、又はＰＣＴ国際公開特許ＷＯ  ９６／００５４８号に詳細に開示されている。
【００１６】
吸収性コア
本発明によると、及び例えば図３及び図５の実施形態に示されるように、吸収性コア２８は、基材層１００と、吸収性高分子材料１１０と、熱可塑性材料の層１２０と、典型的には例えば繊維化されたホットメルト接着剤の層１２０と、を備える。基材層１００は、以下で詳細に説明されるように、典型的には繊維性材料から得ることができる。
【００１７】
本発明の代替実施形態は、図４に示されている。図４に示される吸収性コアは、更にカバー層１３０を含む。このカバー層は、基材層１００と同じ材料から提供されても、又は異なる材料から提供されてもよい。カバー層に適した材料の例として、下記で更に説明されるように、不織布材が挙げられる。
【００１８】
基材層１００は、第１の面及び第２の面を含む。慣例的に、添付の図面に示される断面図では、各層の第１の面は上面、言い換えると物品２０の着用者に面する表面に対応すると考えられ、第２の面は底面、言い換えると衣類に面する面に対応する。基材層１００の第１表面の少なくとも部分は、吸収性高分子材料の層１１０と接触する。この吸収性高分子材料層１１０は、典型的には、第１の面及び第２の面を含む不均一層となり、ここで「不均一」は、吸収性高分子材料１１０が基材層１００上に不均一な坪量で分布されていることを意味する．反対に、不均一な吸収性高分子材料の層１１０の第２表面は、基材層１００の第１表面と少なくとも部分的に接触する。本発明の実施形態によると、吸収性高分子材料１１０の不均一層が、典型的には、即ち実質的に吸収性高分子材料がない区域のような開口部を含む不連続層となり、下記で詳しく後述するように、特定の実施形態においては、開口部が、典型的には吸収性高分子材料を含む区域で完全に囲まれている。典型的にはこれらの開口部は、１０ｍｍ未満、又は５ｍｍ、又は３ｍｍ、又は２ｍｍ、又は１．５ｍｍ未満、かつ０．５ｍｍ又は１ｍｍ超の直径又は最大間隔を有する。吸収性高分子材料層１１０の第２表面の少なくとも部分は、基材層材料１００の第１表面の少なくとも部分と接触する。吸収性高分子材料１１０の第１の面は、基材材料層１００の第１の面上に特定高さの吸収性高分子材料層を画定する。吸収性高分子材料層１１０が、典型的には例えば不連続層である不均一層として提供されるとき、基材層１００の第１の面は少なくとも部分的に吸収性高分子材料１１０で覆われていない。吸収性コア２８は、更に熱可塑性材料１２０の層を備える。この熱可塑性材料１２０は、少なくとも部分的に吸収性高分子材料１１０を不動化するよう機能する。
【００１９】
本発明の典型的実施形態では、熱可塑性材料１２０は、吸収性高分子材料１１０と部分的に接触し、基材層１００と部分的に接触する繊維層として得ることができる。図３及び図５は、本発明の代表的な実施形態のこのような構造体を示す。この構造で、吸収性高分子材料層１１０は、不連続層として提供され、繊維化した熱可塑性材料の層１２０が吸収性高分子材料の層１１０上に置かれ、それにより、熱可塑性層１２０が吸収性高分子材料層１１０の第１表面と直接接触しているが、基材層１００の第１表面とも直接接触しており、基材層は吸収性高分子材料１１０に覆われない（即ち、典型的には高分子材料の不連続層１２０の開口部と一致する）。「直接接触」とは、熱可塑性材料の層１２０と、これに直接接触する他の各層との間に、例えば更なる繊維層などの中間構成要素層が存在しないことを意味する。しかしながら、熱可塑性材料の層１２０と、存在する場合、図４に示されるような任意のカバー層１３０との間、若しくは吸収性高分子材料１１０の層との間、又は、より典型的には、基材層１００との間に、例えば、上にある吸収性高分子材料１１０をより安定させるために基材層１００の第１の面の上に提供される補助接着剤材料のような更なる接着剤を含ませることができることは、除外されない。「直接接触」は、これと関連して、熱可塑性材料の層１２０と上述のようなその他の各層との間の直接的な接着接触を意味すると考慮され得る。このことは、それ自体が本質的にｘ方向及びｙ方向の延伸に比べて比較的小さい厚さ（ｚ方向）の二次元構造体である熱可塑性材料１２０の層に、本質的に三次元の構造を付与する。換言すれば、繊維状の熱可塑性材料層１２０は、吸収性高分子材料１１０の第１の面と基材層１００の第１の面の間を波打つ。繊維状の熱可塑性材料１２０が基材層１００と接触している区域は、接合区域１４０である。
【００２０】
したがって、熱可塑性材料１２０は、典型的には、基材層１００へ向けて吸収性高分子材料１１０を保持する間隔を提供し、その結果この材料を不動化する。更なる態様において、熱可塑性材料１２０は、基板１００に結合し、それにより吸収性高分子材料１１０を基板１００に取り付ける。典型的な熱可塑性材料はまた、吸収性高分子材料１１０と基材層１００の両方に浸透し、更なる不動化及び貼付をもたらす。
【００２１】
図４に典型的に図示される代替実施形態では、カバー層１３０の部分は、熱可塑性材料１２０を介して基材層１００の部分と結合する。それにより、カバー層１００と共に基材層１３０は、吸収性高分子材料１１０を不動化するために空間を提供する。
【００２２】
勿論、本明細書に開示される熱可塑性材料は、湿潤不動化（即ち、物品が濡れた状態であるとき又は少なくとも部分的に負荷されたときの吸収性高分子材料の不動化）を大きく改善する一方、これらの熱可塑性材料は、物品が乾燥状態であるときにも吸収性高分子材料を非常に良好に不動化することができる。
【００２３】
本発明の実施形態によると、吸収性高分子材料１１０は、繊維状材料と任意的に混合することができ、これにより吸収性高分子材料の更なる不動化のマトリックスを提供することができる。しかしながら、典型的には、吸収性高分子材料の区域内に位置する、例えば、総重量の４０重量％未満、２０重量％未満、又は１０重量％未満の吸収性高分子材料１１０の、比較的低量の繊維状材料を使用することができる。
【００２４】
本発明の実施形態によると、典型的には、吸収性高分子材料の区域は、吸収性高分子材料１１０の不連続層内で互いに結合することが可能な一方で、接合区域１４０は、実施形態では吸収性高分子材料の不連続層内の開口部に対応する、図５に例示されるような区域となり得る。そして、吸収性高分子材料の区域は、結合された区域と称される。他の実施形態では、接合区域１４０は互いに結合することが可能である。そして、吸収性高分子材料は、個別のパターンで堆積させることができ、又は換言すれば、吸収性高分子材料は、熱可塑性材料１２０一面の中の島を表す。したがって、要約すると、吸収性高分子材料１１０の不連続層は、例えば、図５に示されるような吸収性高分子材料１１０の連結区域を含んでもよく、又は、吸収性高分子材料１１０の分離区域を選択的に含んでもよい。
【００２５】
吸収性コアの貯蔵層を提供するために、本発明及び特に図３、４、５に言及して詳述した実施形態を用いることができる。しかしながら、これらはまた、図１に例示されるように、全体の吸収性コア２８を提供するために使用され得る。その場合、例えば、最上層及び最下層のようなコアを包む追加的材料は使用されない。図４の実施形態を参照すると、任意のカバー層１３０は最上層の機能を提供することがあり、基材層１００は吸収性コアの最下層の機能を提供することがあり、最上層及び最下層はそれぞれ、コア２８の身体に面する表面及び衣類に面する表面に対応する。
【００２６】
図３、４及び５に関して、熱可塑性材料１２０と基材層１００との間の直接接触している区域は、接合区域１４０と呼ばれる。接合区域１４０の形状、数及び配置が吸収性高分子材料１１０の不動化に影響を与えることになる。接合区域は、例えば、正方形、長方形又は円形の形状であってよい。円形の接合区域は、０．５ｍｍ超、又は１ｍｍ超、及び１０ｍｍ未満、又は５ｍｍ未満、又は３ｍｍ未満、又は２ｍｍ未満、１．５ｍｍ未満の直径を有し得る。接合区域１４０が円形でない場合、これらは、上記のいずれかの直径の円の内部に納まるような大きさであり得る。
【００２７】
接合区域１４０は、規則的又は不規則なパターンで配置できる。例えば、接合区域１４０は、図５に示すように線に沿って配置できる。これらの線は、吸収性コアの長手方向軸にそろえられてもよく又は別の方法としては、それらは、コアの長手方向縁部に対してある角度を有してもよい。吸収性コア２８を長手方向縁部と並行する線に沿った配置することにより、長手方向に通路を形成することができ、結果として湿潤による不動化を少なくすることができ、したがって、例えば、接合区域１４０を吸収性コア２８の長手方向縁部に対し２０度、３０度、４０度、又は４５度の角度を形成する線に沿って配置することができる。接合区域１４０の他のパターンは、多角形、例えば五角形及び六角形又は五角形と六角形の組み合わせを備えるパターンが可能である。また、典型的には、接合区域１４０の不規則なパターンも可能であり、これもまた、良い湿潤不動化をもたらす。接合区域１４０の不規則なパターンはまた、経血若しくは血液又は膣排泄物を吸収する際に向上した流体処理挙動をもたらすことができるが、これは、流体が任意の初期捕捉点からあらゆる方向に拡散し始めることができ、例えば不連続層における吸収性高分子材料に実質的に同じ確率で接触するためである。逆に、規則的なパターンは、液体が辿ることのできる優先経路を形成するので、吸収高分子材料に実際に接触する可能性が低くなる。
【００２８】
本発明によると、熱可塑性層１２０は、任意の熱可塑性材料から、典型的には、ホットメルト接着剤とも呼ばれる粘着性熱可塑性材料から構成され得る。様々な熱可塑性材料が、吸収性高分子材料を不動化するために好適であり得る。最初に熱可塑性である材料には、例えば熱、紫外線照射、電子ビームへの曝露若しくは湿気、又は他の硬化手段により開始され、共有結合の架橋した網状組織の不可逆的な形成をもたらす硬化工程により、後でその熱可塑性を失うものがある。その初期の熱可塑性挙動を失った、これらの材料もまた、本明細書においては、熱可塑性材料１２０として理解され得る。
【００２９】
理論に束縛されるものではないが、吸収性高分子材料１１０を不動化するのに最も有用な熱可塑性材料（例えば、典型的にはホットメルト接着剤）は、良好な粘着挙動及び良好な接着挙動を組み合わせたものであることが判明した。良好な接着は、熱可塑性層１２０が吸収性高分子材料１１０、特に基材材料１００との良好な接触を確実とする上で重要である。即ち、不織布基材材料が使用されている場合、良好な接着は課題である。良好な粘着は、特に外力に反応して、即ちひずみに対して、接着剤が破断しないようにする。接着剤は、吸収性製品が液体を取得し、その後、吸収性高分子材料１１０中に貯蔵し、それに反応して膨潤したとき外力を受ける。代表的な接着剤は、破断及び余りにも多い圧縮力を付与することなくそのような膨潤を可能にし、吸収性高分子材料１１０が膨潤するのを抑制することになる。湿潤不動化を悪化させる、接着剤の破断しないことが望ましい。代表的な好適熱可塑性材料は、既述の特許出願欧州特許第１，４４７，０６７号の、特に［００５０］〜［００６３］の項に開示されるようなものであり得る。
【００３０】
典型的にホットメルト接着剤である熱可塑性材料は、即ち接着剤を繊維化できるような既知の手段によって、コア全体に繊維状の形態で存在することができる。典型的には、繊維は、平均厚さ１〜１００マイクロメートル、平均長５ｍｍ〜５０ｃｍを有することができる。特に、熱可塑性材料、典型的には、例えばホットメルト接着剤の層は、網状構造を構成するように提供されることができる。
【００３１】
基材層１００又は任意の他の層、特に任意の他の不織布層に対する熱可塑性材料１２０の接着を改善するため、該層を、補助接着剤で前処理することが可能である。
【００３２】
特に、本発明によるホットメルト接着剤の典型的なパラメーターは、以下であり得る。
【００３３】
一態様において、６０℃での接着剤の損失角ｔａｎδは、値１未満、又は値０．５未満であるべきである。６０℃での損失角ｔａｎδは、高い室温での接着剤の液体特性と関連がある。Ｔａｎδが低くなればなるほど接着剤は液体よりも固体のような特性を示し、即ち流れ又は移動する傾向が低くなればなるほど本明細書に記載の接着剤超格子構造が劣化し又は更に経時的に崩懐する傾向は低くなる。この値は、したがって、吸収性物品が暑い気候で使用される場合、特に重要であり得る。
【００３４】
更なる態様では、本発明に対応するホットメルト接着剤は、十分な凝集力パラメーターγを有し得る。凝集力パラメーターγは、以下に言及される粘弾性クリープ試験（Rheological Creep Test）を使用して測定される。十分に低い凝集力パラメーターγは、例えば、破断することなしに伸張させることができる弾性接着剤を表わす。τ＝１０００Ｐａの応力が適応されるとき、凝集力パラメーターγは１００％未満、９０％未満、又は７５％未満となり得る。τ＝１２５０００Ｐａの応力では、凝集力パラメーターγは１２００％未満、１０００％未満、又は８００％未満となり得る。
【００３５】
本発明の吸収性コアでは、基材層１００及び任意のカバー層１３０は、典型的には、例えば、スパンボンド若しくはカード不織布材料などの不織布材料、又は例えばラテックス及び／又は熱接合されたエアレイド積層材料などのエアレイド材料からも提供することができる。
【００３６】
基材層１００のための代表的な材料は、セルロース繊維、典型的には６０重量％以下のセルロース繊維、又は３０重量％〜５０重量％のセルロース繊維を含む繊維性材料からなる。基材層１００のための繊維性材料の例は、例えば、カード不織布などの不織布材料、より典型的には、合成繊維及び天然繊維（例えばセルロース繊維など）を含む、例えばラテックス又は熱接合されたエアレイド繊維性材料などのエアレイド又はウェットレイド繊維性材料であり得る。基材層１００の材料の坪量は、典型的には、１０ｇ／ｍ２〜１２０ｇ／ｍ２、又は４０ｇ／ｍ２〜１００ｇ／ｍ２、又は更に５０ｇ／ｍ２〜８０ｇ／ｍ２の範囲であり得る。
【００３７】
任意のカバー層１３０のための代表的な材料は、ポリエチレン（ＰＥ）、ポリエチレンテレフタレート（ＰＥＴ）、ポリプロピレン（ＰＰ）などの、合成繊維を含む不織布材料により提供することができる。不織布の生産に使用される高分子は、本質的に撥水性で、典型的には、例えば恒久的に親水性の不織布を提供するために、耐久的な親水性皮膜でコーティングされ得る。任意のカバー層１３０のための他の不織布材料は、スパンボンド、メルトブローン、及び更なるスパンボンド層を含む、所謂ＳＭＳ材料などの複合構造からなることができる。カバー層１３０の材料の坪量は、典型的には５ｇ／ｍ２〜８０ｇ／ｍ２、又は１０ｇ／ｍ２〜６０ｇ／ｍ２又は更に２０ｇ／ｍ２〜４０ｇ／ｍ２の範囲であり得る。
【００３８】
本発明の特定の実施形態において、吸収性コア２８内の吸収性高分子材料１１０は、平均坪量が２２０ｇ／ｍ２以下、１８０ｇ／ｍ２以下、６０ｇ／ｍ２〜１５０ｇ／ｍ２、又は８０ｇ／ｍ２〜１２０ｇ／ｍ２で吸収性コアの区域全体に存在する。平均坪量は、典型的には、適用領域の全面積、即ち、吸収性高分子材料の層が関与する区域全体に基づいており、したがって、例えば不連続層に含まれると考えられる開口部を含む。
【００３９】
本発明によると、吸収性コアは、カチオン性多糖類１５０、又はその混合物を更に含む。
【００４０】
本発明によると、吸収性コアは、典型的には、カチオン性多糖類、又はカチオン性多糖類の混合物を含むことができる。
【００４１】
本明細書に用いるのに好適なカチオン性多糖類は、カチオン性官能基が存在することから、陽性に荷電した多糖類である。本明細書に用いるのに好適な多糖類には、天然及び半合成のカチオン性多糖類が挙げられる。本明細書に用いるのに好適なのは、カチオン性アミノ官能基を有する任意のアミノ多糖類系高分子、又はカチオン性四級官能基を有する任意の四級アンモニウム多糖類系高分子である。好適なカチオン性官能基の例には、一級、二級又は三級アミン基又は四級アンモニウム基が挙げられるが挙げられる。好ましくは、四級アンモニウムが存在するのがよい。
【００４２】
本明細書に用いるカチオン性多糖類は、多糖類ヒドロキシ基と反応することのできる基を少なくとも１つ含む四級アンモニウム化合物を余分に有する、セルロースなどの繊維性多糖類であってよい。こうしたカチオン性多糖類は、ＰＣＴ特許出願第９２／１９６５２号及び同第９６／１７６８１号に記載されている。
【００４３】
本明細書に用いるのに好適なカチオン性多糖類は、典型的には、４〜９の範囲、又は５〜７．５の範囲内のｐＨを有する。カチオン性多糖類のｐＨは、本明細書では、ｐＨメーターで測定した１％多糖類溶液（多糖類材料１グラムを蒸留水１００グラムに溶解した溶液）のｐＨを意味する。
【００４４】
本明細書で使用する典型的な多糖類は、アミノ多糖類、即ちキチン系材料、キトサン材料、アミノセルロース、及びこれらの混合物である。「キトサン材料」は、本明細書では、キトサン、修飾キトサン、架橋キトサン、及びキトサン塩を意味する。本明細書で使用する好適なキトサン材料は、例えば、Ｔｈｅ  Ｐｒｏｃｔｅｒ  Ｇａｍｂｌｅ  Ｃｏｍｐａｎｙに譲渡された、欧州特許ＥＰ−Ｂ−１２７６５１２の［００２９］〜［００６２］、及び欧州特許ＥＰ−Ｂ−１３００１６４の［００３１］〜［００５１］に記載されているものであり得る。
【００４５】
好適なキトサン材料は、多くの製造供給元から市販されている。代表的なキトサン材料は、例えば、Ｈａｌｏ  Ｓｏｕｒｃｅ，Ｉｎｃ．（ＷＡ，ＵＳＡ）（旧Ｖａｎｓｏｎ  Ｈａｌｏ  Ｓｏｕｒｃｅ，Ｉｎｃ．）から入手可能なものである。
【００４６】
本明細書で使用するその他の典型的なカチオン性多糖類は、四級アンモニウム基、若しくはアミノ基、又はそれらの混合物を典型的に含むカチオン性デンプンであり得る。カチオン変性デンプンの様々な製造方法が既知であり、例えば、米国特許第２，８１３，０９３号及び同第４，２８１，１０９号を参照されたい。
【００４７】
本明細書で使用するとき、「カチオン変性デンプン」は、デンプンと好適なカチオン化剤との間の反応生成物を指す。
【００４８】
化学変性前のデンプンの供給源は、塊茎類、豆科植物類、穀物及び穀粒類を包含する任意の通常の供給源から選択することができる。この供給源となるデンプンの非限定例には、トウモロコシのデンプン、小麦のデンプン、コメのデンプン、ろう状のトウモロコシのデンプン、オート麦のデンプン、キャッサバ（cassaya）のデンプン、ろう状の大麦、タピオカのデンプン、ジャガイモのデンプン、及びこれらの混合物を挙げることができる。
【００４９】
デンプン、特に天然デンプンは、グルコース単位でできた高分子を含む。２つの異なる種類の高分子がある。１種類の高分子はアミロースであり、もう一方はアミロペクチンである。一実施形態では、本発明のカチオン性デンプンは、アミロペクチンを、約９０〜１００重量％、より詳細には９５重量％以上の濃度で含むデンプンを含むことができる。
【００５０】
アンモニウム基を含む好適なカチオン化剤には、米国特許第５，７８０，６１６号の第４欄、５行目〜第５欄、１５行目に記載されているものを挙げることができ、典型的には次の置換基を含む。
【００５１】
−次の構造式を有する２，３−エポキシプロピルトリメチルアンモニウムクロリド（ＣＡＳ  ＃  ３０３３−７７−０）
【化１】
2011520531.tif 000003
−次の構造式を有するＮ−（３−クロロ−２−ヒドロキシプロピル）トリメチルアンモニウムクロリド（ＣＡＳ  ＃  ３３２７−２２−８、例えば、ＤｅｇｕｓｓａからＱｕａｂ  １８８として入手可能）
【化２】
2011520531.tif 000004
−次の構造式を有するジエチルアミノエチルクロリド塩酸塩（「ＤＥＣ」、ＣＡＳ  ＃  ８６９−２４−９）
【化３】
2011520531.tif 000005
【００５２】
本発明の吸収性コアでは、上述のように、吸収性高分子材料１１０の不均一層が、最も典型的には、比較的少量の繊維性材料を含むことができ、又は場合によっては全く含まないので、本発明の吸収性コアの吸収能力の全て又は大半が、典型的には、不均一層に含まれる吸収性高分子材料１１０によって提供される。吸収性高分子材料は、典型的には高い吸収能力を有することができるが、特に経血若しくは血液又は膣排泄物などの複合体液に対しては、やや緩徐な捕捉能力及び吸収速度を示す可能性がある。本発明の吸収性コアに含まれるカチオン性多糖類１５０、又はカチオン性多糖類の混合物は、体液に接触すると、典型的には体液をゲル化することによって、又は粘度を増加させることによって、体液を不動化することができる。このプロセスにおける反応時間はどちらかといえば速く、あらゆる理論に束縛されるものではないが、カチオン性多糖類、又はカチオン性多糖類の混合物は、典型的には吸収性高分子材料１１０の吸収速度よりも速い速度で体液の効率的な不動化をもたらすことができると考えられる。したがって、使用中、本発明の吸収性コアの中で、体液は、吸収性高分子材料１１０と、カチオン性多糖類１５０又はカチオン性多糖類の混合物との複合作用によって効率的に処理されることができ、カチオン性多糖類１５０に接触すると体液は即座に不動化され、吸収性高分子材料１１０によって比較的長時間捕捉及び吸収されることができる。このことは、本発明のものと同様の吸収性コア構造体、即ち、典型的には薄く、流体を吸収するために特に作られている繊維性材料を通常は有さない、又は比較的少量有し、かつカチオン性多糖類材料を有さない構造体内で、流体が依然として「遊離」していることが原理的に原因である、流体が比較的ゆっくりと吸収性高分子材料１１０によって吸収される間に起こる流体の漏れ又は再湿潤の危険性を、典型的には低減する又は排除することができる。
【００５３】
本明細書で使用する典型的なカチオン性多糖類はまた、典型的には四級アンモニウム基、若しくはアミノ基、又はこれらの混合を含むカチオン性グアーガムの中から選択され得る。
【００５４】
カチオン性多糖類材料１５０、又はカチオン性多糖類材料の混合物は、典型的にはどのように実際に供給されるのかに応じて、例えば粉末、繊維の形状、又は粒子などの異なる好適な形態で、本発明の吸収性コアの中に含ませることができる。カチオン性多糖類材料１５０は、例えば、吸収性高分子材料１１０の不均一層内に含まれることができる。あるいは、多糖類材料１５０は、基材層１００の中、若しくは存在する場合は任意のカバー層１３０の中、又はその両方の中に含まれることができる。多糖類材料１５０は、以下により詳細に説明されるように一様分布又は一様でない分布で、本発明の吸収性コアの中に供給されることができ、例えば、多糖類材料１５０は、吸収性コアの全区域にわたって一様分布され得る。
【００５５】
本発明の吸収性コアは、図１に示されるような、短寸法と長寸法とを有する、典型的には楕円形状、例えば矩形を有することができる。図１の生理用ナプキン２０などの吸収性物品の中に典型的に含まれる場合、長寸法及び短寸法は通常、図１の実施形態ではっきりと分かるように、それぞれ吸収性物品の長手方向軸及び横軸に平行であり、したがって、吸収性コアの外周部は、典型的には、その短寸法にほぼ平行であり、かつ吸収性物品内でそれぞれの前側及び後側部分に対応する、前側及び後側横断方向末端部１６０と、その長寸法にほぼ平行であり、かつ吸収性物品２０内で内側縁に対応する、長手方向側末端部１７０と、を含むことができる。本発明の実施形態によると、多糖類材料１５０は、吸収性コア２８の、長手方向側末端部１７０に実質的に沿った、図１に点線で示される区域内に、１ｍｍ〜２０ｍｍ、又は５ｍｍ〜１５ｍｍの幅にわたって提供されることができ、各区域の幅は、長手方向側末端部１７０の全長に沿って実質的に不変のであることができ、又は変化することができる。
【００５６】
本発明の代替的な実施形態によると、吸収性コア２８は、それぞれの長手方向側末端部１７０まで延在しない吸収性高分子材料１１０の不均一層を有することができ、このような場合、例えば、多糖類材料１５０及び吸収性ゲル材料１１０の不均一層が、吸収性コア２８の実質的に重なり合わない領域に提供され得る。このような実施形態では、吸収性コアの典型的には中心の位置に到達する流体は、部分的に吸収性高分子材料１１０に吸収され、部分的に繊維基材層１００及び／又はカバー層１３０を通って長手方向側部領域１７０に沿った区域まで縦方向及び横方向に分配され、そこで、多糖類材料１５０によって不動化されることができ、これはまた、起こり得る漏れに対するサイドバリアとしての機能を果たすことができる。
【００５７】
カチオン性多糖類１５０、又はカチオン性多糖類１５０の混合物は、異なる形態で吸収性コアに提供されることができ、例えば、水溶性の場合は、水溶液として所望の量及び場所に提供されることができ、例えば、繊維基材層１００の上にスプレーされることができ、水分が蒸発すると、カチオン性多糖類は、各層の繊維性材料の中に選択された量でとどまる。
【００５８】
本発明の代替的な実施形態によると、カチオン性多糖類１５０、又はカチオン性多糖類の混合物はまた、好適なキャリア材料内に、例えばその中に均一に分布されて提供されることができる。キャリア材料は、Ｔｈｅ  Ｐｒｏｃｔｅｒ  Ｇａｍｂｌｅ  Ｃｏｍｐａｎｙに譲渡された特許出願ＥＰ  １７４９５０８に従って選択されることができ、例えば、典型的には室温で固体である不活性親水性有機担体であることができ、ここで、親水性有機担体に関して言及された「不活性」は、その中に分散したカチオン性多糖類と実質的に反応しない親水性の有機キャリア材料を意味する。キャリア材料は、例えばポリエチレングリコール、ポリプロピレングリコール、及びそれらの誘導体、例えばポリオキシメチレングリコール、の中から選択され得る。典型的なキャリア材料は、例えば、少なくとも１２００、若しくは１２００〜８０００、又は１５００〜４０００、あるいは更に１５００〜２０００の分子量を有するポリエチレングリコールであることができる。あるいは、典型的なキャリア材料はポリエチレングリコールの混合物であることができる。キャリア材料内にカチオン性多糖類を含ませることによって、カチオン性多糖類を吸収性コアの中に、選択された量で及び位置に、より簡単かつ場合によってより正確な方法で供給することが可能となる、という利点を有することができる。
【００５９】
本発明の吸収性コア２８の特定の実施形態では、カチオン性多糖類１５０、又はカチオン性多糖類の混合物は、適用領域の平方メートル当たりのカチオン性多糖類の重量で、平均坪量０．５ｇ／ｍ２〜５００ｇ／ｍ２若しくは１〜２００ｇ／ｍ２、又は３ｇ／ｍ２〜１００ｇ／ｍ２、あるいは更には４ｇ／ｍ２〜５０ｇ／ｍ２で吸収性コアの中に存在し得る。そのため、平均坪量は、典型的にはカチオン性多糖類の適用が実際に関与する領域、したがって、例えば、本発明の実施形態に関連して上述したように、長手方向側縁部に沿った領域に基づいている。
【００６０】
本発明によれば、吸収性コアは、先に説明したように、捕捉、不動化、及び吸収という点において、より効果的な流体取り扱いを提供することができ、これは、経血又は血液などの複合体液の場合において特に有用であるこができる。概して、本発明による複合構造体の改善された効率は、経血又は血液又は膣排泄物などの問題となる体液の存在下においても、吸収性高分子材料の吸収能力のより効果的な利用につながり得る。
【００６１】
これは、典型的には薄い構造体であり、かつ、異なる材料、特に典型的には少量で存在することができる吸収性高分子材料とカチオン性多糖類又は多糖類との相乗効果による吸収及び不動化能力をより完全に採用することが可能な構造体において達成され、したがって、全体として、吸収時の改善された寸法安定性と、その結果として使用中の更なる快適さとを有する、著しく薄い構造体を更に提供する。
【００６２】
本発明の実施形態によると、吸収性高分子材料は、ＰＣＴ特許出願第２００７／０４７５９８号に記載のポリアクリレート系高分子の中から選択でき、これらの高分子は、極めてわずか架橋された、又は実質的に全く架橋されていないポリアクリレート系材料であり、したがって上述の共力効果を更に改善する。特に、前記ポリアクリレート系材料は、上記言及の特許出願に説明される抽出試験方法にしたがって評価された抽出成分が、少なくとも約３０重量％、３０〜８０重量％、又は、３２〜７０重量％を有することができる。あるいは、前記ポリアクリレート系材料は、上記言及の特許出願に詳述される遠心分離機保持容量（ＣＲＣ）テストによって評価された保持能力を、少なくとも約３０ｇ／ｇ、少なくとも約３５ｇ／ｇ、又は少なくとも約４０ｇ／ｇ有することができる。実際、それらの高分子は、経血又は血液のような複合体液を吸収するために特に効果的であり、かかる流体の吸収時に、従来の超吸収体のように著しい膨張とその後のゲルブロッキングを一般的に示すことがなく、むしろ、ある程度までは体液の増粘剤として働き、実質的な膨張、ひいては吸収性コアの感知可能な全体的厚さの増大を引き起こさずに、吸収性構造体内部で、例えば、繊維間の隙間で一種のゼラチン状の塊として体液を不動化する。
【００６３】
本発明によれば、吸収性コア２８は、吸収性物品の吸収性要素の全体を構成することができ、又は複合構造体中で他の層を用いて補完されながら吸収性要素の部分を構成することができる。また、本発明による吸収性コアを含む吸収性物品は、吸収性コア２８とトップシートとの間の繊維性捕捉層を更に含むことができる。本発明の実施形態にれば、捕捉層は例えば、本発明の吸収性コア２８のカバー層１３０と同様に、ポリエチレン（ＰＥ）、ポリエチレンテレフタレート（ＰＥＴ）、又はポリプロピレン（ＰＰ）などのエアレイド又はウェットレイド繊維によって作製される繊維性不織布材料を含むことができる。
【００６４】
流体捕捉層の代表的材料として、スパンボンドされている又はカード不織布材、若しくは、例えばラテックス結合又は熱接着したエアレイド積層材料のようなエアレイド積層材料が含まれる。坪量は、典型的には、１０ｇ／ｍ２〜６０ｇ／ｍ２、又は２５ｇ／ｍ２〜４０ｇ／ｍ２の範囲であり得る。
【００６５】
本発明の別の代替実施形態によると、吸収性物品は、吸収性コア２８とバックシート、即ち典型的には、コアの衣類に面する面に提供されるバックシートとの間に含まれる追加の繊維性層を備えることができる。この任意の層は、本発明の吸収性コアの基材層１００に関して既に記載されたものと同様の繊維性材料によって提供できる。本発明の更なる実施形態によると、この任意的繊維層は、吸収コア２８によって完全に保持することができない可能性のある余分な水分を収集して分配する付加的ウィッキング層として過剰作用することができる。セルロース繊維の存在により、その層が、吸収性コア２８の吸収性高分子材料によって完全に吸収されない経血又は血液などの体液の一部を捕捉及び拡散させることを特に効率的にできる。
【００６６】
本発明に従って吸収性コア２８を作製する代表的なプロセスは、以下の工程を含み得る。
【００６７】
ある工程では、基材層１００は形成面の上に置かれる。吸収性高分子材料１１０は、任意に基材層１００上に安定化接着剤を、例えば長手方向のストライプ状に設けた後に、当該技術分野において既知の手段によって、例えばレイダウンドラムによって、基材層１００上の選択された一様でない、例えば不連続な層の中に配置される。更なる工程段階で、ホットメルト接着剤は、既知の方法で、例えば繊維状の形態で、吸収性高分子材料上に適用される。
【００６８】
当該技術分野において、いずれの既知の接着剤適用方法を用いても、ホットメルト接着剤を吸収性高分子材料上に適用することができると同時に、ホットメルト接着剤は典型的にノズルシステムを使用して適用されることができる。例えば、ノズルシステムを利用することができ、ノズルシステムは、例えば繊維の形態で、比較的薄いが幅広い接着剤のカーテンをもたらすことができる。一面の接着剤は、基材層１００と吸収性高分子材料１１０上に適用される。
【００６９】
更なる工程段階において、任意のカバー層１３０は、基材層１００、吸収性高分子材料、及びホットメルト接着剤層上に置かれる。カバー層１３０は、接合区域１４０に、基材層１００と粘着接触する。これらの接合区域１４０において、接着剤は基材層１００と直接接触する。カバー層１３０は、典型的には、吸収高分子材料１１０が存在する基材層１００と粘着接触しない。
【００７０】
他の実施形態では、カバー層１３０と基材層１００は、一体型の材料シートから提供され得る。基材層１００上のカバー層１３０の設置は、材料の一体型部品の折りたたみを含み得る。
【００７１】
したがって、積層ドラムであり得る積層システムの不均一な供給は、典型的には、不均一の、例えば不連続層の吸収性高分子材料の配置を決定し、同様に接合区域１４０の図案を決定する。吸収性高分子材料の配置は、真空方法により影響される場合がある。
【００７２】
カチオン性多糖類１５０、又はカチオン性多糖類の混合物は、工程段階で、例えば、粉末、若しくは粒子、又は繊維として、例えば同じレイダウンシステムで混合されて、吸収性ゲル材料の不均一層に直接提供されることができる。あるいは、カチオン性多糖類材料１５０は、水溶液として、又は更には上記のような好適な担体中に含まれて、例えば、基材層１００の上の、若しくはカバー層１３０（存在する場合）の上の、又はその両方の上の選択された区域に、水溶液をスプレーすることによって、又は典型的にはカチオン性多糖類を含む融解状態のキャリア材料を適用することによって、適用されることができる。
【００７３】
吸収性高分子材料の分布は、例えば長手方向に、若しくは横方向に、又はその両方に、例えば、上述のように吸収性コアの長手方向側末端部に沿った区域には実質的に存在せずに、浮き上がることができる。
【００７４】
典型的には、本発明による吸収性コアの吸収性高分子材料は、吸収性高分子粒子を含む。理論に束縛されるものではないが、このような材料は、膨張状態にあっても、即ち、液体が吸収されたときでも、特に更に材料の透過性が、吸収性高分子材料の塩水流伝導度によって表された際に１０、２０、３０、又は４０ＳＦＣユニット超（１ＳＦＣユニットは１×１０−７（ｃｍ３×秒）／ｇ）のときには、材料全体にわたる液体の流れを実質的に阻害しないと考えられている。塩水流伝導度は、当該技術分野において広く認識されたパラメーターであり、欧州特許第７５２８９２（Ｂ）号に開示される試験法にしたがって測定される。
【００７５】
バックシート
本発明によるコアを含む吸収性物品は、バックシート４０を含むこともできる。バックシートは主に、吸収性構造に吸収され及び収容されている流体が、パンツ、ズボン、パジャマ、下着、及びシャツ又はジャケットなどの吸収性物品と接触する材料を濡らすことを防ぎ、これにより、流体移動に対するバリアとして作用しなければならない。本発明の実施形態によるバックシートは、少なくとも水蒸気の移動、又は水蒸気と空気通過の両方を可能とすることができる。
【００７６】
特に、吸収性物品が生理用ナプキン又はパンティライナーとしての有用性を見出す場合、吸収性物品は、物品を下着に取り付ける手段を提供するパンティ締結手段、例えば、バックシートの衣類に面する面上のパンティ固定用接着剤、を備えることができる。下着の股縁部の周囲に折り曲げるように作られているウィング又はサイドフラップを、ナプキンの側縁部に提供することも可能である。
【実施例】
【００７７】
本発明の実施形態による吸収コアを含む生理用ナプキンは、図１及び図２に例示されたものと類似し、ポリエチレン有孔形成フィルムで構成されるトップシートと、２５ｇ／ｍ２ポリエチレンフィルムで構成されるバックシートと、ポリエステル繊維及びＰＰ／ＰＥの２成分繊維を含む３０ｇ／ｍ２カード不織布（ＢＢＡ  Ｆｉｂｅｒｗｅｂ社から、型番ＴＢＰＬ５０／５０  ６ｄｐｆ  ｐｈｉｌｉｃ  ＰＥＴ／ＢＩＣＯで入手可能）から構成されるカバー層と、１２０ｇ／ｍ２の全体的な平均坪量を有する不均一層において、基材層上に分配された粒子形状超吸収性材料（Ｎｉｐｐｏｎ  Ｓｈｏｋｕｂａｉから商標名Ａｑｕａｌｉｃ  Ｌ５２０で入手可能）によって構成される吸収性高分子材料の不連続層、及び１１ｇ／ｍ２の坪量で約５０μｍの平均厚さを有する繊維で適用されるホットメルト接着剤（ＨＢ  Ｆｕｌｌｅｒから商標名ＮＶ  １１５１  Ｚｅｒｏｐａｃｋで入手可能）によって構成される熱可塑性材料の層を備えるコアと、を含む。吸収性コアは、３０重量％セルロース繊維と、４０重量％ＰＥＴ繊維と、３０重量％ラテックス結合剤とを含む、６５ｇ／ｍ２ラテックスボンドエアレイド（ＬＢＡＬ）材料（Ｃｏｎｃｅｒｔ  ＧｍｂＨ社から型番ＷＨＸＸ６５で入手可能）によって構成される基材層を更に備える。
【００７８】
キトサンラクテートは、基材層の衣類に面する面上に、坪量５ｇ／ｍ２で一様分布され、又は、キトサンラクテートは、水が蒸発した際に所望の坪量の乾燥したカチオン性多糖類を有するために、例えば、基材層の衣類に面する面上に好適な量で均一にスプレーされる３重量％水溶液として適用され得る。
【００７９】
凝集力パラメーターγ及び交錯温度（cross-over temperature）パラメーターＴｘをそれぞれ測定するために上記で言及した粘弾性クリープ試験、及び動的機械分析（ＤＭＡ）−温度スイープ試験は、Ｐｒｏｃｔｅｒ  ＆  Ｇａｍｂｌｅ社に譲渡された同時係属欧州特許出願第１，４４７，０６７号に記載されている。
【００８０】
人工月経流体（ＡＭＦ）
人工月経流体（Artificial Menstrual Fluid）は、ヒツジの変性血液を基本にしており、これは、粘度、導電性、表面張力、及び外観の点でヒトの月経液に確実に酷似するように、変性されたものである。それは、参照される米国特許第６，４１７，４２４号（Ｔｈｅ  Ｐｒｏｃｔｅｒ  Ｇａｍｂｌｅ  Ｃｏｍｐａｎｙに譲渡）の第１７段３３行から第１８段４５行に説明されるとおりに調製される。
【００８１】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示された寸法は、「約４０ｍｍ」を意味することを意図する。
【図１】
2011520531.tif 000006
【図２】
2011520531.tif 000007
【図３】
2011520531.tif 000008
【図４】
2011520531.tif 000009
【図５】
2011520531.tif 000010
【国際調査報告】
2011520531.tif 000011
2011520531.tif 000012
2011520531.tif 000013
2011520531.tif 000014